(57)【要約】  【課題】  買い物によって発行されたレシートを用いて駐車料金の割引適用サービスを実現可能な技術を提供する。【解決手段】  駐車券挿入口１１に挿入された駐車券の駐車日時及び駐車開始時刻を含む駐車券情報とバーコードリーダー１２に挿入されたレシートのバーコード情報とを読み取る事前精算機１０と、その事前精算機１０にネットワークを介して接続されるとともに、駐車券情報及びバーコード情報を受信可能な駐車料金管理サーバ５０とを備えた駐車料金精算システムである。駐車料金管理サーバ５０は、受信したバーコード情報の日付情報が有効期限内であるか否かを判別し、その日付情報が有効であると判別した場合に、駐車券に対して駐車料金の割引処理を実行する。この割引処理した割引済みバーコード情報をデータベース６０に記録し、割引処理結果は、事前精算機１０に送信する。事前精算機１０は、その割引処理結果を受信しディスプレイ１８に表示する。【選択図】    図６
2007241574.tif 000002
【特許請求の範囲】
【請求項１】
日付情報及び購入代金情報を含むバーコード情報が記録されたレシートの駐車割引バーコードを読み取ることで駐車料金の割引処理を実行可能な駐車料金精算システムであって、
駐車日時及び駐車開始時刻を含む駐車券情報を読み取り可能な駐車券受け入れ手段と、前記バーコード情報を読み取り可能なバーコード情報読み取り手段を備えた事前精算機と、
その事前精算機にネットワークを介して接続されるとともに、前記駐車券情報及びバーコード情報を受信可能な駐車場管理サーバと、を備え、
前記駐車場管理サーバは、受信したバーコード情報が有効か否かを判別するバーコード情報判別手段と、
そのバーコード情報が有効であると判別された場合に、前記駐車券受け入れ手段に挿入された駐車券に対して駐車料金の割引処理を実行する駐車料金割引手段と、
その駐車料金割引手段が割引処理した割引済みバーコード情報が記録されるデータベースと、
前記駐車料金割引手段が割引処理した結果を、前記事前精算機に送信する割引処理結果送信手段と、を備え、
前記事前精算機は、前記駐車場管理サーバから送信された割引処理結果を受信するとともに、その受信した割引処理結果を表示する表示手段と、
を備えたことを特徴とする駐車料金精算システム。
【請求項２】
前記事前精算機は、駐車料金の精算が完了したか否かを判別する駐車料金完了確認手段を備え、
その駐車料金完了確認手段によって駐車料金の精算が完了したと判別された場合には、駐車券を駐車券受け入れ手段から排出し、
駐車料金の精算が完了していないと判別された場合には、駐車料金の精算待ち状態に移行して、未精算分の駐車料金を表示手段に表示することを特徴とする請求項１記載の駐車料金精算システム。
【請求項３】
前記バーコード情報読み取り手段は、複数のバーコード情報を順次読み取り可能なバーコードリーダーであることを特徴とする請求項１または請求項２に記載の駐車料金精算システム。
【請求項４】
前記バーコード情報判別手段は、前記データベースに記録された割引済みバーコード情報に基づいて駐車料金の割引処理が可能な否かを判別することとした請求項１から請求項３のいずれかに記載の駐車料金精算システム。
【請求項５】
前記駐車料金割引手段は、前記バーコード情報に記録された購入代金情報から予め設定された駐車料金の割引処理が選択されることを特徴とする請求項１から請求項４のいずれかに記載の駐車料金精算システム。
【請求項６】
日付情報及び購入代金情報を含むバーコード情報が記録されたレシートの駐車割引バーコードを読み取ることで駐車料金の割引処理を実行可能な駐車料金管理装置であって、
事前精算機の駐車券受け入れ手段が読み取った駐車日時及び駐車開始時刻を含む駐車券情報を受信する駐車券情報受信手段と、
バーコード情報読み取り手段が読み取ったバーコード情報を受信するバーコード情報受信手段と、
その受信したバーコード情報の日付情報が有効期限内であるか否かを判別するバーコード情報判別手段と、
その日付情報が有効であると判別された場合に、前記駐車券受け入れ手段に挿入された駐車券に対して駐車料金の割引処理を実行する駐車料金割引手段と、
その駐車料金割引手段が割引処理した割引済みバーコード情報を記録するデータベースと、
前記駐車料金割引手段が割引処理した結果を、前記事前精算機に送信する割引処理結果送信手段と、
を備えたことを特徴とする駐車料金管理装置。
【請求項７】
前記バーコード情報判別手段は、前記データベースに記録された割引済みバーコード情報に基づいて駐車料金の割引処理が可能な否かを判別することを特徴とする請求項６に記載の駐車料金管理装置。
【請求項８】
駐車場を管理するコンピュータに対し、日付情報及び購入代金情報を含むバーコード情報が記録されたレシートの駐車割引バーコードを読み取ることで駐車料金の割引処理を実行させるためのプログラムであって、
そのプログラムは、事前精算機の駐車券受け入れ手段が読み取った駐車日時及び駐車開始時刻を含む駐車券情報を受信する駐車券情報受信手順と、
バーコード情報読み取り手段が読み取ったバーコード情報を受信するバーコード情報受信手順と、
その受信したバーコード情報の日付情報が有効期限内であるか否かを判別するバーコード情報判別手順と、
その日付情報が有効であると判別された場合に、前記駐車券受け入れ手段に挿入された駐車券に対して駐車料金の割引処理を実行する駐車料金割引手順と、
その駐車料金割引手順が割引処理した割引済みバーコード情報をデータベースに記録するとともに、
前記駐車料金割引手順が割引処理した結果を前記事前精算機に送信する割引処理結果送信手順と、
をコンピュータに実行させることとしたコンピュータプログラム。
【請求項９】
前記バーコード情報判別手順は、前記データベースに記録された割引済みバーコード情報に基づいて駐車料金の割引処理が可能か否かを判別することを特徴とする
請求項８記載のコンピュータプログラム。
【発明の詳細な説明】
【技術分野】
【０００１】
本発明は、駐車料金を精算するシステム、駐車料金管理装置およびコンピュータプログラムに関する。特に、商店における買い物レシートを用いて駐車料金を割引精算するための技術に関する。
【背景技術】
【０００２】
現在、駐車場を併設する店舗や特定契約駐車場を用意している店舗にて買い物をした買い物客は、ＰＯＳレジ端末等で出力されるレシートを店舗内のサービスカウンター等に持ちこみ、サービスカウンターの係員の確認を介して駐車券に割引情報を書き込んでもらう。
または、買い物をした店舗で駐車料金が割引されるサービス券をもらうことで、駐車料金の割引適用サービスを受けている。いずれにしても、買い物をした合計金額が駐車場のサービス適用金額まで到達しているか否かは、人手によってチェックされる。
【０００３】
通常、割引適用サービスによってチェック済みとなったレシートは、チェック済みの証明となるスタンプが捺印されて割引適用サービスの二重利用を防止する方法が一般的となっている。ここにおける係員の作業を省力化（スタンプ捺印作業の省略）するために、以下のような技術が提供されている。
【０００４】
特許文献１記載の技術では、駐車券を使用せず、入庫時にセンサー又は手入力で入庫情報として識別番号を入力することにより、この識別番号に付随した入庫時刻情報がコンピュータ内でデータ記録される。次に、買い物をしてレジスターでレシートに領収金額に応じた最大許可駐車時間を示すためのあらかじめ決められた範囲内で重複することの無いレシートナンバー等又は乱数的な番号や記号等で記載・出力し、これを条件情報とする。
次に、出庫時にセンサー又は手入力で識別番号と条件情報が入力されると出庫情報としての出庫時刻と識別番号に付随している入庫時刻から駐車時間が算出され且つ条件情報に含まれる最大許可駐車時間を示す情報が、コンピュータ内で照合され出庫の可否が判定されるものである。
【０００５】
【特許文献１】特開２００４−２８８１３０号公報
【発明の開示】
【発明が解決しようとする課題】
【０００６】
しかしながら、駐車料金の割引適用サービスが人手によって実施されることで、そのサービスに必要な人員を店舗側に配置する必要がある。また、ＰＯＳレジ端末を用いて割引適用サービスを実施すれば、そのシステム構築のためにシステム全体が頓雑になってしまい、その導入費用が大きな金額になってしまう。
また、特許文献１に記載された技術では、大規模なシステム構築が必要となり、店舗側の負担が大きい。
【０００７】
そこで、本発明が解決しようとする課題は、買い物によって発行されたレシートを用いて駐車料金の割引適用サービスを、無人で実現可能な簡素な技術を提供することにある。
請求項１から請求項５に記載の発明の目的は、買い物によって発行されたレシートを用いて駐車料金の割引適用サービスを実現可能な駐車料金精算システムを提供することである。
請求項６および請求項７に記載の発明の目的は、買い物によって発行されたレシートを用いて駐車料金の割引適用サービスを実現可能な駐車料金管理装置を提供することである。
請求項８および請求項９に記載の発明の目的は、買い物によって発行されたレシートを用いて駐車料金の割引適用サービスを実現可能なコンピュータプログラムを提供することである。
【課題を解決するための手段】
【０００８】
（請求項１）
請求項１記載の発明は、日付情報及び購入代金情報を含むバーコード情報が記録されたレシートの駐車割引バーコードを読み取ることで駐車料金の割引処理を実行可能な駐車料金精算システムに係る。
すなわち、駐車日時及び駐車開始時刻を含む駐車券情報を読み取り可能な駐車券受け入れ手段、前記バーコード情報を読み取り可能なバーコード情報読み取り手段を備えた事前精算機と、その事前精算機にネットワークを介して接続されるとともに、前記駐車券情報及びバーコード情報を受信可能な駐車場管理サーバと、を備え、前記駐車場管理サーバは、受信したバーコード情報の日付情報が有効期限内であるか否かを判別するバーコード情報判別手段と、その日付情報が有効であると判別された場合に、前記駐車券受け入れ手段に挿入された駐車券に対して駐車料金の割引処理が実行される駐車料金割引手段と、その駐車料金割引手段が割引処理した割引済みバーコード情報が記録されるデータベースと、前記駐車料金割引手段が割引処理した結果を、前記事前精算機に送信する割引処理送信手段と、を備え、前記事前精算機は、前記駐車場管理サーバから送信された割引処理結果を受信するとともに、その受信した割引処理結果が表示される割引処理結果表示手段と、を備えた駐車料金精算システムを提供する。
【０００９】
（用語説明）
「駐車券受け入れ手段」とは、バーコードが付された駐車券の挿出入の際に用いる挿入口などのことであり、一般にはカードリーダーがある。なお、駐車券の排出には駐車券の挿入口のほか、別途排出専用の排出口を設けていても良い。このようにすれば、挿入した駐車券の搬送に要するモータは、同一回転による構造とすれば良く、非常にシンプルな構造となる。一方で、駐車券の挿出入が可能であれば、事前精算機全体の省スペース化に寄与することとなる。
「バーコード情報」とは、日付情報及び購入代金情報のほか、会員情報なども含まれる場合がある。これら各情報がバーコードに記録され、バーコード情報読み取り手段によって読み込まれる。
「データベース」とは、駐車場管理サーバの内部または外部機器として接続された記録媒体のことであり、代表的にはハードディスクドライブなどがある。このデータベースには、割引済みバーコード情報のほか、会員データなどが記録されている場合もある。この場合には、割引済みバーコード情報や会員データは暗号化されて記録されることとなる。
【００１０】
（作用）
利用者は、事前精算機の駐車券挿入口に駐車券を挿入すると、駐車券情報受信手段が挿入された駐車券の駐車券情報を受信する。
駐車券情報送信手段が駐車料金管理サーバに駐車券情報を送信すると、駐車料金管理サーバの駐車券情報受信手段が送信された駐車券情報を受信する。
ここで、利用者が買い物によって入手したバーコード付きレシートをバーコードリーダーに挿入する。バーコードリーダーは、印刷された駐車割引バーコードのバーコード情報を受信する。
【００１１】
そして、事前精算機のバーコード情報送信手段が、バーコードリーダーが読み取ったバーコード情報を駐車料金管理サーバに送信する。
駐車料金管理サーバのバーコード情報受信手段が、事前精算機から送信されたバーコード情報を受信する。
ここで、駐車料金管理サーバのバーコード情報判別手段が、受信したバーコード情報の日付情報が有効期限内であるか否かの判別を行う。
判別基準をクリアしていれば、駐車料金割引手段がバーコード情報に記録されている購入代金情報から、所定の割引金額を駐車料金から割り引く。
この割引処理された割引済みバーコード情報は、データベースに記録する。
また、駐車料金管理サーバの割引処理結果送信手段が事前精算機に割引処理結果を送信する。
事前精算機の割引処理結果受信手段が、送信されてきた割引処理結果を受信するとともに、表示手段にその割引処理結果を表示させる。
【００１２】
買い物客である利用者自らの手によって駐車割引サービスを行うように構築されているため、割引処理サービス専用の人員を配置する必要がなくなるが、システム全体は扱うデータ量が小さくてシンプルである。このため、導入コストを抑制しやすく、人件費削減に伴うコスト削減にも寄与する。
買い物客にとっては、これまでと同様、所定の金額の買い物をすれば駐車料金の割引適用が受けられるので、割引処理サービス専用の人員が居なくなったことについて、特に問題ない。買い物客は、買い物によって発行されたレシートのみによって駐車料金の割引適用サービスが受けられるので、分かりやすい。
【００１３】
（請求項２）
請求項２記載の発明は、請求項１に記載の駐車料金精算システムを限定したものである。
すなわち、前記事前精算機は、駐車料金の精算が完了したか否かを判別する駐車料金完了確認手段を備え、その駐車料金完了確認手段によって駐車料金の精算が完了したと判別されれば、駐車券を駐車券受け入れ手段から排出し、駐車料金の精算が完了していないと判別されれば、駐車料金の精算待ち状態に移行して、未精算分の駐車料金を表示手段に表示することを特徴とする。
【００１４】
（作用）
駐車料金完了確認手段が駐車料金の精算が完了したか否かを判別する。ここで、駐車料金の精算が完了していれば、駐車券を駐車券挿入口から排出する。また、駐車料金の精算が完了していなければ、駐車料金の精算待ち状態に移行し、未精算分の駐車料金を表示手段に表示する。
【００１５】
（請求項３）
請求項３記載の発明は、請求項１または請求項２に記載の駐車料金精算システムを限定したものであり、
前記バーコード情報読み取り手段は、複数のバーコード情報を順次読み取り可能なバーコードリーダーであることを特徴とする。
【００１６】
（用語説明）
「バーコードリーダー」とは、バーコードを読み取るためのスキャナーのことであり、ペン型、ハンディスキャナー型などがある。また、バーコードを読み取るソフトウェアとしては、NW-7という形式などがある。このNW-7は、データをA、B、C、Dのスタートコードとストップコードにはさんでバーコードとして印刷している。
（作用）
バーコードリーダーが、レシートの駐車割引バーコードを読み取る。一度読み取ったものは利用できないように、データベースに記録される。レシートを複数枚所持している場合には、順次バーコードリーダーに読み取らせて、割引適用を受けることができる。
【００１７】
（請求項４）
請求項４記載の発明は、請求項１から請求項３のいずれかに記載の駐車料金精算システムを限定したものであり、前記バーコード情報判別手段は、前記データベースに記録された割引済みバーコード情報をもとに駐車料金の割引処理が可能な否かを判別することを特徴とする。
【００１８】
（作用）
データベースに記録された割引済みバーコード情報をもとに駐車料金の割引処理が可能な否かを判別する。この判別基準としては、バーコード情報の日付情報が当日のものであるか否か、バーコード付きレシートが未使用のもの（一度も割引処理されていない）であるか否かから判別され、当日の日付であり、また未使用のバーコード付きレシートであると判別されれば駐車料金の割引処理を受け付けることとしている。
【００１９】
（請求項５）
請求項５記載の発明は、請求項１から請求項４のいずれかに記載の駐車料金精算システムを限定したものであり、前記駐車料金割引手段は、前記バーコード情報に記録された購入代金情報から予め設定された駐車料金の割引処理が選択されることを特徴とする。
【００２０】
（作用）
バーコード情報に記録されている購入代金情報から、所定の割引金額を駐車料金から割り引く。この割引には、買い物の金額に応じた段階的な割引が予め設定されており、例えば、店舗で1000円以上購入すると1時間分の駐車料金を割り引く。同様に、3000円以上購入すると2時間分の割引、10000円以上購入すると3時間分の割引、というように段階的に設定することが一般的である。
【００２１】
（請求項６）
請求項６記載の発明は、日付情報及び購入代金情報を含むバーコード情報が記録されたレシートの駐車割引バーコードを読み取ることで駐車料金の割引処理を実行可能な駐車料金管理装置を提供する。
すなわち、事前精算機の駐車券受け入れ手段が読み取った駐車日時及び駐車開始時刻を含む駐車券情報を受信する駐車券情報受信手段と、バーコード情報読み取り手段が読み取ったバーコード情報を受信するバーコード情報受信手段と、その受信したバーコード情報の日付情報が有効期限内であるか否かを判別するバーコード情報判別手段と、その日付情報が有効であると判別された場合に、前記駐車券受け入れ手段に挿入された駐車券に対して駐車料金の割引処理を実行する駐車料金割引手段と、その駐車料金割引手段が割引処理した割引済みバーコード情報を記録するデータベースと、前記駐車料金割引手段が割引処理した結果を、前記事前精算機に送信する割引処理結果送信手段と、を備えた駐車料金管理装置に係る。
【００２２】
駐車料金管理装置とは、複数の事前精算機を統括管理可能なコンピュータであり、例えばサーバ型コンピュータとして形成された駐車料金管理サーバなどがある。この駐車料金管理装置には、他の請求項で特定するコンピュータプログラムがインストールされ、駐車料金管理装置から事前精算機を制御している。
【００２３】
（請求項７）
請求項７記載の発明は、請求項６に記載の駐車料金管理装置を限定したものであり、前記バーコード情報判別手段は、前記データベースに記録された割引済みバーコード情報をもとに駐車料金の割引処理が可能な否かを判別することを特徴とする。
【００２４】
（請求項８）
請求項８記載の発明は、駐車場を管理するコンピュータに対し、日付情報及び購入代金情報を含むバーコード情報が記録されたレシートの駐車割引バーコードを読み取ることで駐車料金の割引処理を実行させるためのプログラムを提供する。
そのプログラムは、事前精算機の駐車券受け入れ手段が読み取った駐車日時及び駐車開始時刻を含む駐車券情報を受信する駐車券情報受信手順と、バーコード情報読み取り手段が読み取ったバーコード情報を受信するバーコード情報受信手順と、その受信したバーコード情報の日付情報が有効期限内であるか否かを判別するバーコード情報判別手順と、その日付情報が有効であると判別された場合に、前記駐車券受け入れ手段に挿入された駐車券に対して駐車料金の割引処理を実行する駐車料金割引手順と、その駐車料金割引手順が割引処理した割引済みバーコード情報をデータベースに記録するとともに、前記駐車料金割引手順が割引処理した結果を、前記事前精算機に送信する割引処理結果送信手順と、をコンピュータに実行させることとしたコンピュータプログラムである。
【００２５】
上記のコンピュータプログラムは、駐車料金精算システムを制御する駐車料金管理サーバを作動させるコンピュータプログラムである。また、当該駐車料金管理サーバの制御プログラムとして、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒなどである。
また、これらの発明に係るプログラムを格納したコンピュータから、通信回線を通じて他のコンピュータへ伝送することも可能である。
【００２６】
（請求項９）
請求項９記載の発明は、請求項８に記載のコンピュータプログラムを限定したものであり、
前記バーコード情報判別手順は、前記データベースに記録された割引済みバーコード情報をもとに駐車料金の割引処理が可能か否かを判別することを特徴とする。
【発明の効果】
【００２７】
請求項１から請求項５に記載の発明によれば、買い物によって発行されたレシートを用いて駐車料金の割引適用サービスを実現可能な駐車料金精算システムを提供することができた。
請求項６および請求項７に記載の発明によれば、買い物によって発行されたレシートを用いて駐車料金の割引適用サービスを実現可能な駐車料金管理装置を提供することができた。
請求項８および請求項９に記載の発明によれば、買い物によって発行されたレシートを用いて駐車料金の割引適用サービスを実現可能なコンピュータプログラムを提供することができた。
【発明を実施するための最良の形態】
【００２８】
以下、本発明を実施の形態及び図面に基づいて、更に詳しく説明する。ここで使用する図面は、図１から図６である。図１は、駐車料金精算システムの全体構成を示す概略図であり、図２は、事前精算機と駐車料金管理サーバとの処理を概念的に示したフローチャートであり、図３は、事前精算機のハードウェア構成を示したブロック図であり、図４は、駐車料金管理サーバのハードウェア構成を示したブロック図であり、図５は、バーコード付きレシートの詳細を示す図であり、図６は、駐車券の挿入から駐車料金の割引処理までを示したフローチャートである。
【００２９】
（全体構成）
図１に示すように、本発明に係る駐車料金精算システムは、利用者が車両を駐車場に駐車し、店舗にて買い物をして入手したバーコード付きレシートの駐車割引バーコードに記録された日付情報、会員情報及び購入代金情報を含むバーコード情報を事前精算機１０が読み取り、その読み取ったバーコード情報から駐車料金の精算処理を実行することで車両の出庫を可能としたシステムである。以下、本システムの詳細を説明していく。
【００３０】
図２に示すように、駐車料金精算システムは、車両入庫時に発行された駐車券と、駐車割引サービス券の機能を果たすバーコード付きレシート及び現金によって駐車料金の割引や精算を受け付ける事前精算機１０と、その事前精算機１０を管理するとともに、ＬＡＮによって接続された駐車料金管理サーバ５０とを備えて構成されている。なお、図示は省略するが、事前精算機１０は、所定の区域や店舗に複数設置されており、これら複数の事前精算機を駐車料金管理サーバ５０（駐車料金管理装置）が統括管理して全体として駐車料金精算システムが形成されている。
【００３１】
（事前精算機）
図３は、事前精算機１０のハードウェア構成を示したブロック図である。
事前精算機１０は、駐車券の挿入及び排出が可能な駐車券挿入口１１（駐車券受け入れ手段）、バーコード付きレシートのバーコード情報を読み取り可能なバーコードリーダー１２（バーコード情報読み取り手段）、現金投入用の現金投入口１３、駐車券を排出するための精算ボタン１４および精算を中止するための精算キャンセルボタン１５、駐車料金等を表示するディスプレイ１８を備えている。
【００３２】
なお、駐車券の排出には駐車券挿入口１１のほか、別途排出専用の排出口（駐車券受け入れ手段）を設けていても良い。このようにすれば、挿入した駐車券の搬送に要するモータは、同一回転による構造とすれば良く、非常にシンプルな構造となる。一方で、本実施形態のように駐車券挿入口１１で駐車券の挿出入が可能であれば、事前精算機全体の省スペース化に寄与することとなる。
【００３３】
また、読み込んだ駐車券の駐車券情報を駐車料金管理サーバ５０に送信する駐車券情報送信手段１６Ａと、バーコード付きレシートのバーコード情報を駐車料金管理サーバ５０に送信するバーコード情報送信手段１６Ｂと、そのバーコード情報によって割引処理された割引結果を受信する割引処理結果受信手段１７Ａと、駐車料金の精算が完了したか否かを判別する駐車料金完了確認手段１７Ｂと、駐車料金管理サーバ５０とのデータ通信を行うための通信手段１９とを備えている。なお、割引処理結果受信手段１７が受信した割引処理結果は、表示手段（ディスプレイ）１８に表示される。
【００３４】
（駐車料金管理サーバ）
図４は、駐車料金管理サーバ５０のハードウェア構成を示したブロック図である。
駐車料金管理サーバ５０は、各地域または各店舗に設置された複数の事前精算機１０を統括管理する機能を備えており、そのハードウェア構成としては、駐車料金管理サーバ５０全体の制御および各種演算処理を行うＣＰＵ５１、各種データを書き込む際に、それらデータを一時的に展開して記憶するＲＡＭ５２、オペレーティングシステム、アプリケーションソフトおよび各種データなどが記録されるデータベース６０、マウスやキーボード等の入力部５３、ディスプレイ等の表示部５４、インターネットやイントラネットなどの電気通信回線に接続可能であるとともに、事前精算機１０とのデータ送受信が可能な通信部５５、各種データをプリンタ等に出力可能な出力部５６および各種データの入出力部である入出力ポート５７を備えて構成されている。
【００３５】
また、駐車券挿入口１１に挿入された駐車券情報を受信する駐車券情報受信手段５８ａと、バーコードリーダー１２が読み取ったバーコード情報を受信するバーコード情報受信手段５８ｂと、受信したバーコード情報の日付情報が有効期限内であるか否かを判別するバーコード情報判別手段５８ｃと、その日付情報が有効であると判別された場合に、事前精算機１０に挿入された駐車券に対して駐車料金の割引処理を実行する駐車料金割引手段５９ａと、その割引処理結果を事前精算機１０に送信する割引処理結果送信手段５９ｂとを併せて備えている。
【００３６】
（バーコード付きレシート）
ここで、バーコード付きレシートについて説明する。
図５に示すように、バーコード付きレシートは、上側から店舗名、店舗情報、購入日時、レジ担当者名、会員No、購入商品名、個数、商品代金、小計、ポイント割引、合計、お預かり、お釣り、ポイント会員No、前回累計ポイント数、値引きポイント数、今回ポイント数、累計ポイント数などの明細データおよびこの明細データを記録した領収書バーコードが印刷されている。また、領収書バーコードの下側には、日付情報、会員情報及び購入代金情報からなり、駐車場の割引に関するデータをコード化した駐車割引バーコードが印刷されている。
【００３７】
このバーコード付きレシートは、店舗に設置されているＰＯＳレジ装置（図示は表示しない）から発行される。つまり、ＰＯＳレジ装置には、明細データや領収書バーコードを印刷する機能のほか、駐車割引バーコードを印刷する機能を備えていることになる。
なお、駐車割引バーコードには、暗号化が施されており、復号化アルゴリズムを用いなければ内部データにアクセス不能に形成されている。本実施形態の駐車割引バーコードを読み取るソフトウェアとしては、NW-7という形式を採用している。このNW-7は、データをA、B、C、Dのスタートコードとストップコードにはさんでバーコードとして印刷している。
【００３８】
次に、図６を参照して、本発明に係る駐車料金精算システムの一連の処理について説明する。
なお、利用者は店舗の駐車場に車両を駐車し、その店舗にて買い物をすることでＰＯＳレジ装置から発行されたバーコード付きレシートを使用して駐車料金の精算を行うこととする。
まず利用者は、事前精算機１０の駐車券挿入口１１に駐車券を挿入すると、事前精算機１０は、挿入された駐車券の駐車券情報を受信する（Ｓ１０１）。
駐車券情報送信手段１６Ａが駐車料金管理サーバ５０に駐車日時及び駐車開始時刻を含む駐車券情報を送信し（Ｓ１０２）、駐車料金管理サーバ５０の駐車券情報受信手段５８ａが送信された駐車券情報を受信する（Ｓ１０３）。
【００３９】
事前精算機１０は、受信した駐車券情報から駐車料金をディスプレイ１８に表示して精算待ち状態となる（Ｓ１０４）。
ここで、利用者が買い物によって入手したバーコード付きレシートをバーコードリーダー１２に挿入すると、バーコードリーダー１２は、バーコード付きレシートに印刷された駐車割引バーコードのバーコード情報を受信する（Ｓ１０５）。そして、事前精算機１０のバーコード情報送信手段１６Ｂが、バーコードリーダー１２が読み取ったバーコード情報を駐車料金管理サーバ５０に送信する（Ｓ１０６）。駐車料金管理サーバ５０のバーコード情報受信手段５８ｂが、事前精算機１０から送信されたバーコード情報を受信する（Ｓ１０７）。
【００４０】
駐車料金管理サーバ５０のバーコード情報判別手段５８ｃは、受信したバーコード情報が有効であるか否かを判別する（Ｓ１０８）。この判別基準としては、バーコード情報の日付情報が当日のものであるか否か、バーコード付きレシートが未使用のもの（一度も割引処理されていない）であるか否かから判別され、当日の日付であり、また未使用のバーコード付きレシートであると判別されれば駐車料金の割引処理を受け付けることとしている。
【００４１】
そして、判別基準をクリアしていれば、駐車料金割引手段５９ａがバーコード情報に記録されている購入代金情報から、所定の割引金額を駐車料金から割り引く（Ｓ１０９）。この割引には、買い物の金額に応じた段階的な割引が予め設定されており、例えば、店舗で1000円以上購入すると1時間割引、3000円以上購入すると2時間割引、10000円以上購入すると3時間割引などである。
【００４２】
そして、割引処理された割引済みバーコード情報は、データベース６０に記録される（Ｓ１１０）。ここで記録される割引済みバーコード情報は、バーコード情報判別手段５８ｃが、未使用のバーコード付きレシートであるか否かの判別をする際に、データベース６０を参照して利用されることになる。
【００４３】
一方、バーコード情報判別手段５８ｃが、読み取ったバーコード情報がデータベース６０の割引済みバーコード情報に該当した場合には、割引対象外の無効のバーコード付きレシートであるものとして、ディスプレイ１８に無効のレシートである旨のエラー表示をさせる（Ｓ１１１）。
【００４４】
また、割引処理結果送信手段５９ｃが事前精算機１０に割引処理結果を送信する（Ｓ１１２）。事前精算機１０は、割引処理結果受信手段１７Ａが割引処理結果を受信し（Ｓ１１３）、ディスプレイ１８に割引処理結果を表示させる（Ｓ１１４）。なお、ディスプレイ１８に表示される駐車料金や割引結果などは、音声案内によって行われるようにしても良い。
事前精算機１０は、駐車料金完了確認手段１７Ｂが駐車料金の精算が完了したか否かを判別する（Ｓ１１５）。ここで、駐車料金の精算が完了していれば、駐車券を駐車券挿入口１１から排出する（Ｓ１１６）。また、駐車料金の精算が完了していなければ、再びＳ１０４の駐車料金の精算待ち状態に戻り、未精算分の駐車料金をディスプレイ１８に表示する（Ｓ１１７）。
【００４５】
すなわち、本システムでは、買い物客である利用者自らの手によってレシートをスキャンして駐車割引サービスを行うように構築されている。このため、割引処理サービス専用の人員を店舗に配置する必要がなくなり、コスト削減に寄与する。また、人手によって行われる割引適用サービスに比較して、より正確かつ迅速にサービスを提供することができるため、オペレーション効率が向上する。
【００４６】
（従来の事前精算機の改造）
従来の事前精算機は、例えば駐車券に記載され、または電子的に記録された駐車開始日時などのデータを読み取ることができるとともに、割引適用に関する印章の読み取りを可能としたもの、駐車券とは別に発行される割引チケットを読み取ることができるものである。このような従来の事前精算機を本願発明の実施形態に用いるためには、バーコード付きレシートのバーコードが読み取れるようにするためのバーコードリーダーと、そのバーコードリーダーによって情報処理を実行するためのロムとを取り付けるという改造が必要である。
換言すれば、前記バーコードリーダーおよび前記ロムの取り付けによって、本実施形態にて記載したシステムを運営するための事前精算機を構築することができる。
【図面の簡単な説明】
【００４７】
【図１】駐車料金精算システムの全体構成を示す概略図である。
【図２】事前精算機と駐車料金管理サーバとの処理を概念的に示したフローチャートである。
【図３】事前精算機のハードウェア構成を示したブロック図である。
【図４】駐車料金管理サーバのハードウェア構成を示したブロック図である。
【図５】バーコード付きレシートの詳細を示す図である。
【図６】駐車券の挿入から駐車料金の割引処理までを示したフローチャートである。
【符号の説明】
【００４８】
１０  事前精算機                  １１  駐車券挿入口
１２  バーコードリーダー          １３  現金投入口
１４  精算ボタン                  １５  精算キャンセルボタン
１６Ａ  駐車券情報送信手段
１６Ｂ  バーコード情報送信手段
１７Ａ  割引処理結果受信手段
１７Ｂ  駐車料金完了確認手段
１８  ディスプレイ                  １９  通信手段
５０  駐車料金管理サーバ            ５１  ＣＰＵ
５２  ＲＡＭ                        ５３  入力部
５４  表示部                        ５５  通信部
５６  出力部                        ５７  入出力ポート
５８ａ  駐車券情報受信手段
５８ｂ  バーコード情報受信手段
５８ｃ  バーコード情報判別手段
５９ａ  駐車料金割引手段
５８ｂ  割引処理結果送信手段
６０  データベース
【図１】
2007241574.tif 000003
【図２】
2007241574.tif 000004
【図３】
2007241574.tif 000005
【図４】
2007241574.tif 000006
【図５】
2007241574.tif 000007
【図６】
2007241574.tif 000008